(57)【特許請求の範囲】
【請求項１】
液体タンクから液体を供給するポンプと、一端が前記ポンプの吐出側に接続する単一の流路をなす送液管と、該送液管の単一の流路途中に複数配設されて転圧機械の転圧輪に対して液体を噴霧するノズルと、前記送液管の単一の流路に配設されて前記送液管内の液体の流量を調整する単体の流量調整弁と、一端が前記送液管の他端側に接続し、他端が前記液体タンクに接続する戻し配管と、を備え、
噴霧中、液体の一部を、前記送液管と前記戻し配管とからなる一本の流路を経由して前記液体タンクへ還流可能に構成し、
前記流量調整弁として三方向切換弁を用いてそのうちの一方向をドレン抜きとしたことを特徴とする転圧機械の噴霧装置。
【請求項２】
液体タンクから液体を供給するポンプと、一端が前記ポンプの吐出側に接続する単一の流路をなす送液管と、該送液管の単一の流路途中に複数配設されて転圧機械の転圧輪に対して液体を噴霧するノズルと、前記送液管の単一の流路に配設されて前記送液管内の液体の流量を調整する単体の流量調整弁と、一端が前記送液管の他端側に接続し、他端が前記液体タンクに接続する戻し配管と、を備え、
噴霧中、液体の一部を、前記送液管と前記戻し配管とからなる一本の流路を経由して前記液体タンクへ還流可能に構成し、
前記ノズルよりも上流の前記送液管の流路途中において、前記ポンプの始動時においては、前記ポンプと前記ノズルの上流寄りとを連通させ、前記ポンプの停止時においては、前記ノズルの上流寄りと前記戻し配管の流路途中とを連通させる方向切換電磁弁を配設したことを特徴とする転圧機械の噴霧装置。
【請求項３】
前記送液管内の圧力が所定の圧力に上昇したときにこの送液管内の液体をノズルの噴霧口に導通させる逆止弁が、前記ノズルと前記送液管との間に取り付けられていることを特徴とする請求項１または請求項２に記載の転圧機械の噴霧装置。
【請求項４】
前記送液管内の圧力が所定の圧力に上昇したときにこの送液管内の液体をノズルの噴霧口に導通させる逆止弁とフィルタとが、前記ノズルと前記送液管との間に取り付けられていることを特徴とする請求項１または請求項２に記載の転圧機械の噴霧装置。
【発明の詳細な説明】
【０００１】
【産業上の利用分野】
本発明は転圧機械の転圧輪等に液体を噴射する噴霧装置に係り、特に、噴霧開始時及び噴霧停止時に液体の垂れを防止し得ると共に、ノズルからの噴射状態を確認しつつ噴射量の調整が可能な転圧機械の噴霧装置に関する。
【０００２】
【従来の技術】
道路等をアスファルト舗装する際に、転圧機械のタイヤまたは鉄輪で舗装面の転圧を行うと加熱アスファルト混合物（以下、アスファルトという）が転圧輪の転圧面に付着し、そのまま転圧を続けるとその付着物が舗装品質に悪影響を及ぼす。そこで、通常、転圧機械に噴霧装置を取り付けて、水や油脂類あるいは特殊の付着防止剤等（以下、単に液体という）をその噴霧装置で転圧輪に吹きつけてアスファルトの付着を防止している。
【０００３】
従来の転圧機械の噴霧装置としては、例えば実開平５−１２３２４号公報に開示されているようなものが知られている。このものは、図６に示すように、転圧機械にポンプ２を搭載し、その吐出側送液管４の端部に転圧輪ＴR に対して液体を噴射するノズル５と逆止弁９とが取り付けてあり、その送液管４から分岐してタンク１に戻る圧抜き管１０の途中に通電閉型の二方向切換電磁弁１１が挿入されている。スイッチ８を入れると、ポンプ２の駆動モータ３及び電磁弁１１に通電されてポンプ２が始動すると共に電磁弁１１が閉じ、送液管４にタンク１内の液体が充満する。送液管４の圧力が所定圧力に上昇したときに逆止弁９が押し開けられて送液管４が導通しノズル５から液体が噴射され噴霧が開始される。一方、スイッチ８を切ると、ポンプ２が停止すると同時に、切換弁１１が開いて圧抜き管１０が導通し、送液管４内の液体はタンク１へ排出されて圧力が急速に低下する。これにより、逆止弁９がばねの力で戻り送液管４の導通を遮断する。逆止弁９は、送液管４内の急速な圧力変化に即応して瞬時に開閉することによりノズル５の先端からの液体の“前だれ”や“後だれ”等の液垂れを防止する。
【０００４】
図７に示すものは、上記の二方向切換電磁弁１１の代わりに手動弁１５を用いて、ポンプ２とノズル５との間の回路からタンク１に戻る流量を調整するものであり、その絞り加減でノズル５からの噴霧流量を調整するようにしている。
【０００５】
【発明が解決しようとする課題】
上記従来の転圧機械の噴霧装置にあっては、例えば図６の場合は、ポンプ２の起動と同時に瞬時に電磁弁１１が自動的に閉じて、直ちに送液管４内の圧力が高められるし、またポンプ２の停止と同時に瞬時に電磁弁１１が自動的に開いて、直ちに送液管４内の圧力が低下するので、ノズル５を開閉する逆止弁９の応答が良好で液垂れが生じない。しかしながら、電磁弁１１は全開・全閉のみであるから、ノズル５の噴霧量を任意に調整するということはできないという問題点がある。
【０００６】
一方、図７の場合は、手動弁１５の絞り加減を調整してノズル５からの液体噴射量を調整することができるが、しかしながらその開閉が手動で行われるので、ポンプ２の始動・停止に応じて瞬時に送液管４内の圧力を変化させることはできず、したがって逆止弁９の応答は切れが悪くなり液垂れを完全に防止することが難しいという問題点がある。
【０００７】
また、ノズル５の噴霧量を調整する手動弁１５は、配管長を短くしてできる限りポンプ２に近くノズル上流側に取り付けてあり、ノズル５から離れている。そのため、手動弁１５による流量調整操作をする場合には、ノズル５の噴霧圧力が一定になる迄にタイムラグを生じてスイッチ操作後からノズル噴霧開始までの応答性が良くないという問題点がある。
【０００８】
更に、作業員は、直接にノズル５の噴射状態を目視で観察しながら手動弁１５で噴霧量を調整操作することが困難で操作性が良くないという問題点もある。
また、図６，図７のいずれの場合も、送液管４を経てノズル５に送られた液体は、ノズルが閉じている間は管路に停滞しているため液中の固形不純物が沈積し易く、逆止弁の弁座やノズル５の先端の噴出孔に付着して回路閉塞が頻繁に生じるという問題点がある。
【０００９】
そこで、本発明は、このような従来の転圧機械の噴霧装置の問題点に着目してなされたものであり、応答性が良く、ノズルからの噴射状態を確認しながら調整可能で、且つノズル近傍での滞留による回路閉塞が起こりにくい転圧機械の噴霧装置を提供することを目的としている。
【００１０】
【課題を解決するための手段】
上記の目的を達成する本発明は、液体タンクから液体を供給するポンプと、一端が前記ポンプの吐出側に接続する単一の流路をなす送液管と、該送液管の単一の流路途中に複数配設されて転圧機械の転圧輪に対して液体を噴霧するノズルと、前記送液管の単一の流路に配設されて前記送液管内の液体の流量を調整する単体の流量調整弁と、一端が前記送液管の他端側に接続し、他端が前記液体タンクに接続する戻し配管と、を備え、
噴霧中、液体の一部を、前記送液管と前記戻し配管とからなる一本の流路を経由して前記液体タンクへ還流可能に構成し、
前記流量調整弁として三方向切換弁を用いてそのうちの一方向をドレン抜きとしたことを特徴とするものである。
【００１１】
また、本発明は、液体タンクから液体を供給するポンプと、一端が前記ポンプの吐出側に接続する単一の流路をなす送液管と、該送液管の単一の流路途中に複数配設されて転圧機械の転圧輪に対して液体を噴霧するノズルと、前記送液管の単一の流路に配設されて前記送液管内の液体の流量を調整する単体の流量調整弁と、一端が前記送液管の他端側に接続し、他端が前記液体タンクに接続する戻し配管と、を備え、噴霧中、液体の一部を、前記送液管と前記戻し配管とからなる一本の流路を経由して前記液体タンクへ還流可能に構成し、前記ノズルよりも上流の前記送液管の流路途中において、前記ポンプの始動時においては、前記ポンプと前記ノズルの上流寄りとを連通させ、前記ポンプの停止時においては、前記ノズルの上流寄りと前記戻し配管の流路途中とを連通させる方向切換電磁弁を配設したことを特徴とするものである。
【００１２】
また、前記送液管内の圧力が所定の圧力に上昇したときにこの送液管内の液体をノズルの噴霧口に導通させる逆止弁が、前記ノズルと送液管との間に取り付けられているものとすることができる。
【００１３】
また、前記送液管内の圧力が所定の圧力に上昇したときにこの送液管内の液体をノズルの噴霧口に導通させる逆止弁とフィルタとが、前記ノズルと送液管との間に取り付けられているものとすることができる。
【００１４】
【作用】
本発明によれば、ノズルの噴霧量を調整する流量調整弁を送液管に取付けたノズルの下流に配し、流量制御を行う。この方式によりノズルに極めて接近した位置で流量調整を行うことが可能となり、作業員はノズルの噴霧量（噴霧状態）を直接に目で確認しつつ流量制御を行う。また、流量調整操作とノズルの噴霧量変化との間のタイムラグが少なく流量調整の応答性が良い。
【００１５】
ポンプから送液される液体を流量調整弁で調整して所定の噴霧量で噴霧中、余分の液体は戻り配管を経てタンクへ戻し、再びポンプで送り出して循環させる。このように液体を循環させることで、液中の固形不純物の沈積が除かれてクリーニングされる。
噴霧が終わり送液を停止すると、送液管やノズルに液が滞留し、固形不純物の沈積が生じ易い。その場合、流量調整弁に三方向切換弁を用いてその一つの口をドレン抜きとすると、噴霧工程中は残りの二口を利用して液体を絶えずノズルを経由して流動循環させて沈積を防ぐ。ポンプを停め、噴霧を停止したら流量調整弁の出口をドレン側に切り換えて噴霧ノズル，送液管内の残留液をドレン抜きする。これにより管内の液滞留を防ぎクリーニング効果を高める。
【００１６】
また、ポンプ吐出側の送液管に方向切換電磁弁を配設し、ポンプの始動と同時に送液回路をノズル方向に切り換え、ポンプ停止と同時に送液回路をタンク戻り方向に切り換えると、噴霧開始・停止時のノズル内液圧変化の切れが極めて良くなり、ノズル先端からの液垂れが防止できる。
【００１７】
【実施例】
以下、この発明の実施例を図面を参照して説明する。
図１ないし図３は、この発明の一実施例を示すもので、図１は噴霧装置の基本回路図である。この実施例の噴霧装置は、前輪に鉄製の転圧輪、後輪に複数の空気タイヤからなる転圧輪を備えた転圧機械（コンバインドローラ）に設置した例であり、図２に示すように、その転圧機械Ｔの後輪ＴR に、ノズル５から液体を噴霧して転圧輪ＴR へのアスファルトの付着を防止するものである。
【００１８】
すなわち、転圧機械Ｔに液体のタンク１とポンプ２を搭載し、そのポンプ吐出側に接続した送液管４の途中にスプリングリターン式の三方向切換電磁弁１１を介装すると共に、その先の送液管４の端部近くに、複数の転圧輪ＴR と同数（図では４個）の噴射用のノズル５を接続してある。各ノズル５には、後述のように逆止弁９が一体的に取付けてある。更に、そのノズル５より下流の送液管末端、ノズル５の近接位置に、ノズル５の液体噴霧量を調整するための流量調整弁２０が取り付けてある。この流量調整弁２０は手動式の三方切換弁であり、レバー２０ａを操作して送液管４の流路をタンク１への戻し配管１６に任意の開度に連通させて送液管４の流量を調整（ここにいう調整とは、液体を流すか流さないかのオン・オフ的な調整をも含む）する機能を有すると共に、送液管４の流路を戻し配管１６とドレン配管１７との間で自在に切り換える機能をも有している。
【００１９】
なお、タンク１内の液体をストレーナ１２を介してポンプ２に吸引するサクション配管１３の途中に、図１に示すように手動式の三方切換弁からなるドレン抜き弁１４を介装している。
また、ポンプ２と三方向切換電磁弁１１とを同時にオン・オフさせる作動スイッチとして、現場作業者用の作動スイッチ７が流量調整弁２０の近くに配設されており、運転席６の作動スイッチ８とのいずれによっても噴霧装置の運転ができるようにしてある。
【００２０】
図３（ａ）ないし（ｄ）は、本発明の噴霧装置に使用することができる各種のノズルＡｓｓ’ｙ５ａを例示したものである。（ａ）のものはノズル５の内部にばね式逆止弁９が内蔵され一体的に着脱されるタイプ、（ｂ）のものはノズル５の後端にばね式逆止弁９を内蔵したフィルタ２１をねじ込んで一体に装着したタイプである。（ｃ）のものは、市販の既製インライン逆止弁９のボデイ先端にノズル５をねじ込んで取り付けると共に逆止弁後端にフィルタ２１をねじ込んで取り付けたタイプで、送液管４の横腹に取付け孔を開けてボス２２を溶接することにより形成された装着部にねじ込みで装着される。
【００２１】
（ｄ）のものは配管継手（図示のものはクロス継手であるがティーやエルボ等でも良い）をノズルボデイに利用して、その一端部に逆止弁９，フィルタ２１等を内設したうえで、ノズル５を取り付けた新タイプのものであり、そのまま送液管４に接続して組み込むことが可能である。
次に上記噴霧装置の作動を説明する。
【００２２】
作業者は、舗装現場で転圧機械Ｔの後輪ＴR の傍らに位置して操作することができる。いま、現場の作動スイッチ７をオンにすると、ポンプ２の図示しない駆動モータ及び電磁弁１１に通電されてポンプ２が起動すると同時に三方向切換電磁弁１１が作動してノズル５へ導通状態になり、送液管４からノズル５の逆止弁９の手前まで液体が充満する。送液管４の圧力が所定圧力に上昇したときに逆止弁９が押し開けられて送液管４が導通しノズル５から後輪ＴR の転圧面に対し液体の噴霧が開始される。その噴霧量は、流量調整弁２０のレバー操作で予め（又は最初の噴霧操作の時に）調整してある流量であり、ポンプ２から圧送される液体の余分量は流量調整弁２０を介して戻し配管１６を経由しタンク１へ還流される。勿論、噴霧中でも流量調整弁２０を手動操作して噴霧量を自在に調整することも可能である。作業者は、実際にノズル５からの噴霧状態を近くから観察しながら流量調整弁２０を操作できるから、常に適切な噴霧状態を維持することができる。
【００２３】
しかも、流量調整弁２０はノズル５に隣接して下流側に設置してあるから、流量調整弁２０のレバー２０ａを操作して弁の戻し開度を調整すると、殆どタイムラグなしにノズル５の噴霧量が変化することから、流量調整の応答性および操作性が非常に良好である。
また、噴霧中、液体の一部は戻し配管１６を経てタンク１とノズル５との間で循環流動しており、配管中内で滞留することがなく効果的にクリーニングが行われる。
【００２４】
一方、スイッチ８を切ると、ポンプ２が停止すると同時に切換弁１１が切り換えられて戻し配管１６が導通となる。送液管４内の液体は、三方向切換電磁弁１１及び流量調整弁２０の双方から戻し配管１６を経てタンク１に戻ることができるから、送液管４内に圧力溜まりが形成されることがなく、且つ送液管４内の液体は急速に排出されて圧力が急降下する。そのため、逆止弁９がばねの力で急速に戻り送液管４の導通を遮断する。このように、ノズル５の液体導通を開閉する逆止弁９が、送液管４内の急速な圧力変化に即応して瞬時に開閉するから、ノズル５の先端からの液体の“前だれ”や“後だれ”等の液垂れを効果的に防止することができる。また、液の滞留による固形物の沈着現象も防止される。
【００２５】
図４，図５に他の実施例を示す。
この実施例は、転圧機械Ｔの前輪ＴF ，後輪ＴR にそれぞれ複数の空気タイヤを装備したタイヤローラに、本発明の噴霧装置を適用したものである。
前輪ＴF への噴霧回路と後輪ＴR への噴霧回路とはタイヤ数に応じて設けたノズル５の数が異なるのみである。その二経路を任意に選択して作業を行うことができるように、また二経路の各噴霧量および各流量に応じて適当な流量に分流するために、ポンプ２の吐出側に手動式の三方切換弁２５を配設し、そのレバー２５ａの操作でいずれかの経路を選定して噴霧装置を稼働させるようにしてある。その他の構成、作用、効果は上記第１の実施例と同様である。
【００２６】
なお、本発明は上記の各実施例に限定されるものではなく、例えば二方向切換電磁弁１１のタイプや流量調整弁２０のタイプ等を任意に選定することも可能である。
【００２７】
【発明の効果】
以上説明したように、本発明によれば、転圧機械の噴霧装置におけるノズルの液体噴霧量を調整する流量調整弁をノズルの下流に配して、噴霧量調整を行うものとしたため、ノズル噴霧量の調整の応答性が良好になるという効果を奏する。また、流量調整弁の配設位置を送液管に取り付けたノズルの取付け位置近傍としたため、作業者は現場でノズルの噴霧状態を目で確認しながら調整することができ、作業性が極めて良好になるという効果を奏する。
【００２８】
また、流量調整弁として三方向切換弁を用いてそのうちの一方向をドレン抜きとしたため、ノズルの目詰まりを生じ易い固形物が送液管内で沈積することを排除してクリーニングすることができ、ノズルの清掃や交換の手間を削減できるという効果を奏する。
また、送液管に方向切換電磁弁を配設してポンプの始動・停止に応じてノズルとタンク戻り配管との間で流路を急速に切り換えるものとしたため、送液圧力の変化が高速化されて逆止弁の切れが良くなり、噴霧前後の液垂れ防止性能がより向上するという効果を奏する。
【００２９】
また、噴霧を開閉する逆止弁や、ノズル目詰まり防止のフィルタ等をノズルと送液管の間に取り付けることにより、ノズルのみ単独に取り外して交換したり清掃することも可能になり保守作業の能率が向上するという効果が得られる。
【図面の簡単な説明】
【図１】本発明の第１の実施例の噴霧装置の回路構成図である。
【図２】図１に示すものの一部を省略して示す実機配置の側面図である。
【図３】本発明に適用できる各種噴霧ノズルＡｓｓ’ｙを例示した側面図である。
【図４】本発明の第２の実施例の実機配置の側面図である。
【図５】図４に示す噴霧装置の回路構成図である。
【図６】従来の噴霧装置の回路構成図の一例である。
【図７】従来の噴霧装置の回路構成図の他の例である。
【符号の説明】
２    ポンプ
４    送液管
５    ノズル
９    逆止弁
１１    向切換電磁弁
２０    流量調整弁
２１    フィルタ
【図１】
0003769049.tif 000002
【図２】
0003769049.tif 000003
【図３】
0003769049.tif 000004
【図４】
0003769049.tif 000005
【図５】
0003769049.tif 000006
【図６】
0003769049.tif 000007
【図７】
0003769049.tif 000008